(57)【要約】【課題】  レシートを印字するレシート印字様式を所定のレシート印字様式に容易に変更することが可能で、感熱紙に印字されたレシートの所定位置を重ね書き可能にするレシート発行装置及び販売管理装置を提供することを目的とする。【解決手段】  商品情報を受信する受信部と、前記商品情報に対応する複数のレシート印字様式を記憶するレシート印字様式記憶部と、前記商品情報に基づいて前記レシート印字様式を選択するレシート印字様式判断部と、前記レシート印字様式に基づいて重ね書き可能な署名欄を有する印字データを作成する印字データ作成部と、前記印字データを重ね書き可能なレシート用紙に印字する印字部と、前記選択した前記レシート印字様式に基づいてレシート発行を制御する制御部と、前記レシート用紙を所定の長さに切断する切断部と、を有する。【選択図】  図２
2005038242.tif 000002
【特許請求の範囲】
【請求項１】
商品情報を受信する受信部と、
前記商品情報に対応する複数のレシート印字様式を記憶するレシート印字様式記憶部と、
前記商品情報に基づいて前記レシート印字様式を選択するレシート印字様式判断部と、
前記レシート印字様式に基づいて重ね書き可能な署名欄を有する印字データを作成する印字データ作成部と、
前記印字データを重ね書き可能なレシート用紙に印字する印字部と、
前記選択した前記レシート印字様式に基づいてレシート発行を制御する制御部と、
前記レシート用紙を所定の長さに切断する切断部と、を有することを特徴とするレシート発行装置。
【請求項２】
レシート印字様式判断部は、前記レシート印字様式記憶部に記憶された複数の前記レシート印字様式から前記商品情報に基づき該当する前記レシート印字様式を選択して前記印字部に提供することを特徴とする請求項１に記載のレシート発行装置。
【請求項３】
前記レシート印字様式は、商品コート、会社コード、印字フォーマット、レシート印字枚数及び当該各レシートの長さが記録されていることを特徴とする請求項１に記載のレシート発行装置。
【請求項４】
重ね書き可能なレシート用紙は、紙基材の表面に感熱発色層を備え、前記紙基材の裏面に感圧複写を可能とするノーカーボン層を備えたロール状に巻回されたサーマルロール紙であることを特徴とする請求項１に記載のレシート発行装置。
【請求項５】
前記ノーカーボン層は、前記レシート用紙の裏面の所定の位置に所定の幅を有して長手方向に連続して形成されていることを特徴とする請求項４に記載のレシート発行装置。
【請求項６】
前記レシート印字様式に基づいて印字された複数枚の前記レシートは、当該各レシートの１辺又は各レシートに印字された印を重ね合わせることにより前記各レシートの所定の位置に設けられた前記署名欄が同一位置に位置することにより前記重ね書き可能となることを特徴とする請求項４に記載のレシート発行装置。
【請求項７】
前記署名欄は前記レシート印字枚数の内特定レシートのみに設けることが可能であることを特徴とする請求項４に記載のレシート発行装置。
【請求項８】
顧客が購入する商品の商品コードを読み取るためのバーコード読取装置と、前記選択された前記商品に関する商品名と価格等の商品情報を表示するための表示装置と、重ね書き可能なレシートを発行するためのレシート発行装置と、を具備した少なくとも一台のＰＯＳ端末装置と、
前記ＰＯＳ端末装置と接続され、各取扱商品の商品コードに対応する価格等のデータを格納するＰＬＵファイルと、顧客の属性、購入実績等の情報を格納した顧客情報ファイルと、前記商品に対応した所定の前記レシートを発行するために複数種類のレシート印字様式を格納したレシート印字様式ファイルと、を具備するデータ処理装置と、から構成され、
前記ＰＯＳ端末装置から送信された会社コード、商品コードに基づいてレシート印字様式記憶装置内の当該商品の前記レシート印字様式及び前記ＰＬＵファイル内の商品データを抽出し前記ＰＯＳ端末装置に送信し、前記レシート発行装置が重ね書き可能なレシート用紙に前記レシート印字様式に基づいて所定枚数のレシートを印字するように構成されたことを特徴とする販売管理装置。
【請求項９】
前記レシート印字様式は、会社コード、商品コード、印字フォーマット、レシート印字枚数及び当該各レシートの長さが記録されていることを特徴とする請求項８に記載の販売管理装置。
【請求項１０】
重ね書き可能なレシート用紙は、紙基材の表面に感熱発色層を備え、前記紙基材の裏面に感圧複写を可能とするノーカーボン層を備えたロール状に巻回されたサーマルロール紙であることを特徴とする請求項９に記載の販売管理装置。
【発明の詳細な説明】
【技術分野】
【０００１】
本発明は、レシート発行装置及び販売管理装置に関し、特に、重ね書き可能なレシートを発行し商品を購入した顧客の署名が重ね書きして複数枚のレシートに複写されるように構成されたレシート発行装置及び販売管理装置に関する。
【背景技術】
【０００２】
従来、商品の販売等により複数枚の複写帳票を発行する場合は、ノーカーボン加工或いは裏カーボン加工が施された複数の帳票からなる複写伝票に、ワイヤドットプリンタ等のインパクトプリンタを用いて印字が行われていた。また、感熱紙を使用した伝票等の帳票の印字にサーマルプリンタで印字を行う場合は、紙基材そのものが圧力で発色する伝票ではない為、同じ伝票を必要枚数印字して、使用している。感熱紙を使用した伝票に確認署名等が必要な場合は、カーボン紙を挿入する又は予め複写する所定の場所にカーボン加工しておくなどして使用するしかない。
【０００３】
近年、ハンディターミナル、ＰＯＳ端末装置等のプリンタによる印字は、印字装置の小型化、省力化、経済性、印字性能等の優位さから従来のインパクトプリンタからサーマルロール紙に対して印字を行うサーマルプリンタに移行している。
【０００４】
例えば、ＰＯＳ端末装置においてサーマルプリンタによるレシートを印字する場合、１取引で連続して複数枚のレシートを印字してその中の１枚に顧客の署名欄を設けている。これにより、複数枚のレシートの内、署名は署名欄のある１枚のみに行われ他のレシートには署名がされていない。
【０００５】
また、印字様式の異なる伝票やレシートを印字する時は、印字プログラムを入れ替える又は印字するプリンタを変更する等の処置をして希望する印字様式のレシートを印字している。
【発明の開示】
【発明が解決しようとする課題】
【０００６】
しかし、上記した感熱紙による複数枚構成の帳票において、確認のため複数枚の帳票に署名を必要とする場合には、署名を複写するために最上面の伝票と複写に必要な伝票の間にカーボン紙を挟み込む、または予めカーボン加工をし、複写する必要があり、手間がかかり非効率であった。
【０００７】
さらに、ＰＯＳ端末装置でレシートを発行する場合、１取引で連続して複数枚のレシートを印字してその中の１枚に顧客の署名欄を設け、本人確認の為の直筆署名をもらっている場合は、顧客の署名は１枚のレシートのみにされ他のレシートには行われない。これは、顧客本人の直筆署名をレシート全てに必要とした場合には、顧客及び販売店双方にとって手間がかかり、運用面からみると、現実的とは言い難い。
【０００８】
例えば、クレジットカードによる商品販売において、ＰＯＳ端末装置で印字される３枚構成のレシートであった場合、署名された１枚目のレシートはカード会社に送付され、署名のないレシートが、顧客と商品販売会社の控えとなる。したがって、取引において問題（なりすまし使用等の不正使用）が発生した時、購入者本人が購入したことを証明する為、署名を確認使用とした場合、販売会社の控え伝票には署名がされていないため販売会社では署名筆跡の確認はできない。
【０００９】
さらに、印字様式が異なるレシートを印字する場合は、印字プログラムを入替えたり、プリンタを変更したりする必要があり、手間がかかるという問題がある。
【００１０】
本発明は、レシートを印字するレシート印字様式を所定のレシート印字様式に容易に変更することが可能で、感熱紙に印字されたレシートの所定位置を重ね書き可能にするレシート発行装置及び販売管理装置を提供することを目的とする。
【課題を解決するための手段】
【００１１】
上記の課題に鑑み本発明は、商品情報を受信する受信部と、前記商品情報に対応する複数のレシート印字様式を記憶するレシート印字様式記憶部と、前記商品情報に基づいて前記レシート印字様式を選択するレシート印字様式判断部と、前記レシート印字様式に基づいて重ね書き可能な署名欄を有する印字データを作成する印字データ作成部と、前記印字データを重ね書き可能なレシート用紙に印字する印字部と、前記選択した前記レシート印字様式に基づいてレシート発行を制御する制御部と、前記レシート用紙を所定の長さに切断する切断部と、を有することを特徴とするレシート発行装置を提供するものである。
【００１２】
ここで、レシート発行装置は商品情報に基づいてレシート印字様式を選択可能し、選択されたレシート印字様式を使用して重ね書き可能なレシート用紙に印字データを印字するように構成した。これにより、商品情報に基づいたレシート印字様式で印字したレシートが容易に発行可能となり、重ね合わせた最上位のレシートに署名した時下位に重ねられたレシートに署名を複写することが可能となった。
【００１３】
さらに、レシート印字様式判断部は、前記レシート印字様式記憶部に記憶された複数の前記レシート印字様式から前記商品情報に基づき該当する前記レシート印字様式を選択して前記印字部に提供する。前記レシート印字様式は、商品コート、会社コード、印字フォーマット、レシート印字枚数及び当該各レシートの長さが記録されている。
【００１４】
重ねたレシートの最上位の署名欄にボールペン等の筆圧がかかる筆記用具で顧客の署名を受ける。これにより重ねられた全てのレシートに署名を複写することが可能となった。
【００１５】
ここで、重ね書き可能なレシート用紙は、紙基材の表面に感熱発色層を備え、前記紙基材の裏面に感圧複写を可能とするノーカーボン層を備えたロール状に巻回されたサーマルロール紙である。
【００１６】
前記ノーカーボン層は、前記レシート用紙の裏面の所定の位置に所定の幅を有して長手方向に連続して形成されている。
【００１７】
さらに、前記レシート印字様式に基づいて印字された複数枚の前記レシートは、当該各レシートの１辺又は各レシートに印字された印を重ね合わせることにより前記各レシートの所定の位置に設けられた署名欄が同一の位置に位置することにより前記重ね書き可能となるのである。
【００１８】
また、前記署名欄は前記レシート印字枚数の内特定レシートのみに設けることが可能である。
【００１９】
さらに、本発明は、顧客が購入する商品の商品コードを読み取るためのバーコード読取装置と、前記選択された前記商品に関する商品名と価格等の商品情報を表示するための表示装置と、重ね書き可能なレシートを発行するためのレシート発行装置と、を具備した少なくとも一台のＰＯＳ端末装置と、前記ＰＯＳ端末装置と接続され、各取扱商品の商品コードに対応する価格等のデータを格納するＰＬＵファイルと、顧客の属性、購入実績等の情報を格納した顧客情報ファイルと、前記商品に対応した所定の前記レシートを発行するために複数種類のレシート印字様式を格納したレシート印字様式ファイルと、を具備するデータ処理装置と、から構成され、前記ＰＯＳ端末装置から送信された顧客コード、商品コードに基づいてレシート印字様式記憶装置内の当該商品の前記レシート印字様式及び前記ＰＬＵファイル内の商品データを抽出し前記ＰＯＳ端末装置に送信し、前記レシート発行装置が重ね書き可能なレシート用紙に前記レシート印字様式に基づいて所定枚数のレシートを印字するように構成されたことを特徴とする販売管理装置を提供するものである。
【００２０】
前記レシート印字様式は、会社コード、商品コード、印字フォーマット、レシート印字枚数及び当該各レシートの長さが記録されている。
【００２１】
ここで、レシート発行装置は、印字した複数枚のレシートに署名欄を設けレシートを重ね合わせて全てのレシートの署名欄が同一の位置に重なるようにレシートを発行する。これにより重ね合わせた最上位のレシートの署名欄に署名すると下方に重ねられたレシートの署名欄に署名を複写することが可能となった。これにより、複数のレシートに署名があるので、取引に問題が発生した場合、署名の照合を容易に行うことが可能となった。
【発明の効果】
【００２２】
本発明のレシート発行装置により、商品情報に基づいて選択されたレシート印字様式で印字したレシートが容易に発行可能となり、重ね合わせた最上位のレシートに署名したとき、下位に重ねられたレシートに署名を複写することが可能となった。これにより、署名の照合が容易となり、顧客サービスと店舗の署名確認作業の効率が向上する。
【発明を実施するための最良の形態】
【００２３】
本発明に係る重ね書き可能なレシート発行装置及び販売管理装置の詳細を図面に基づいて説明する。図１は、本実施の形態における販売管理装置例におけるシステム構成図を示す。図２は、本実施の形態におけるレシート発行装置を含むＰＯＳ端末装置の構成例を示すブロック図である。以降、本発明におけるレシート発行装置は、ＰＯＳ端末装置に含まれている構成例として説明する。
【００２４】
図１に示すとおり、本発明の実施の形態例に使用する販売管理装置１００は、複数のＰＯＳ端末装置１とＰＯＳ端末装置１と連係したデータ処理装置２とで構成されている。ＰＯＳ端末装置１に連係されたデータ処理装置２は、本体のＣＰＵと、プログラム及びデータを記憶する記憶部と、バーコードリーダーを含む入力装置と、データ表示装置３と、各種ファイルを記憶する外部記憶装置２４と、印刷装置とで構成されている。
【００２５】
外部記憶装置２４は、ＰＬＵファイル４と、売上データファイル６と、顧客情報ファイル５と、商品ファイル７と、複数種類のレシート印字様式を格納したレシート印字様式ファイル８（レシート印字様式記憶部）とを有している。レシート印字様式は、適用する商品コード、適用する会社名、レシート印字フォーマット、レシート印字枚数及び当該各レシートの長さが記録されている。データ処理装置２は、購入データ及び顧客情報に基づいて該当するレシート印字様式を選択するレシート印字様式判断部９（レシート印字様式判断手段）と、購入商品に関するデータの抽出処理を行いレシート印字情報を生成する手段と、レシート印字様式と作成した購入商品のレシート印字情報をＰＯＳ端末装置１に送信する手段とで構成されている。
【００２６】
図２に示すように、ＰＯＳ端末装置１は、ＣＰＵ（演算記憶制御装置）と、レシートを発行するプログラム及びデータを記憶する記憶装置と、データを入力するキーボードを含む入力装置１０と、カードを読み取るカード読取装置１１と、バーコードを読み取るバーコード読取装置１２と、購入商品、金額等のデータを表示する表示装置１３と、レシートに購入明細情報を印刷するレシート発行装置１４で構成される。ＰＯＳ端末装置１は、データ処理装置２から購入商品に該当するレシート印字様式とＰＬＵファイル４に基づく商品情報を受信し印字データ作成部１６でレシート印字データを作成する。
【００２７】
レシート発行装置１４は、レシートを発行するレシート印字様式とレシートに印字する商品に関するデータを受信する受信部１７と、受信したデータを重ね書きによる複写可能なレシート用紙（感熱紙）に印字する印字部１８と、印字終了後レシートの切断を制御する制御部１９と、制御部１９に制御されてレシートを切断する切断部２０とで構成されている。
【００２８】
なお、図１に示す、本実施の形態例ではデータ処理装置２に、レシート印字様式記憶ファイル８（レシート印字様式記憶部）とレシート印字様式判断部９を有する構成としたが、レシート印字様式ファイル８とレシート印字様式判断部９をＰＯＳ端末装置１又はレシート発行装置１４に有する構成としてもよい。
【００２９】
図３は、レシート発行装置１４にレシート印字様式ファイル８とレシート印字様式判断部９を設けた構成例を示す。レシート発行装置１４は、レシート発行装置１４を制御するプログラムを実行し切断部を制御する制御部１９と、商品の情報を受信する受信部１７と、複数のレシート印字様式を記憶するレシート印字様式ファイル８と、商品情報に基づいて商品情報に対応する前記レシート印字様式を判断するレシート印字様式判断部９と、商品情報に基づいて印字データを作成する印字データ作成部１６と、印字データを重ね書き可能なレシート用紙に印字する印字部１８と、レシートを選択したレシート印字様式に定められた所定の長さに切断する切断部２０とで構成されている。
【００３０】
レシート発行装置１４は、各種（例えば、ハンディターミナル）の本体装置にレシート発行装置１４を接続して所要の様式で重ね書き可能なレシートを印字することが可能となる。
【００３１】
図４は、本発明のレシート発行装置１４でレシート発行に使用するサーマルロール紙６０例を示す。図４（ａ）は、サーマルロール紙６０の巻き回した状態を示し、図４（ｂ）は、図４（ａ）に示すＺ−Ｚ間での断面図を示す。
【００３２】
本発明のレシート発行装置１４でレシート発行に使用するサーマルロール紙６０は、長尺な紙基材６１の表面が感熱発色層６２を備えた感熱紙６４を形成し、紙基材６１の裏面に予め感圧複写を可能にするノーカーボン層６３が形成されてロール状に巻回されている。
【００３３】
ノーカーボン層６３は、筆圧による複写に適したノーカーボンインキを紙基材６１の裏面に塗布することによって感熱紙６４の長さ方向に沿って連続的に形成されている。紙基材６１の裏面に塗布されるノーカーボンインキは、カプセルの中に不揮発性の染料を内包し筆圧によりカプセルが破壊され染料が紙に塗布されたレジン等と反応して発色するノーカーボンインキを塗布したノーカーボン紙である。そして、このノーカーボン層６３に塗布されたインキはセルフ発色インキでも良い。また、加圧することによってカーボンが下の用紙に付着するバックカーボンでも良い。感熱紙６４は複数枚重ね合わせ、最上位の表面に手書き等によって一定の圧力を加えると、下位に重ねた感熱面が発色する機能を有するものを使用する。
カーボンインキを塗布したカーボン層を有するレシートの場合は、カーボン紙を利用して複写が可能であるが、ノーカーボン紙であればカプセルに内包した染料の発色がカーボン紙のカーボンインキと異なるため複写を改竄することができなくなる。
【００３４】
この機能を有する感熱紙は、筆記具で加圧して書いた署名を複写することが可能である。
【００３５】
そして、ノーカーボン層６３は、感熱紙６４の横幅全体に亘って連続して形成されている。
【００３６】
サーマルロール紙６０は、サーマルプリンタを備えたＰＯＳ端末装置１等のレシート発行装置１４に設けられた保持部に装着された状態で、外周部から順次引き出され、サーマルヘッドによって感熱発色層６２へ所要出力情報が印字された後、切断されて所定の長さのレシートとなる。この複数のレシートは、ＰＯＳ端末装置１及びレシート発行装置１４の制御部１９に制御されて、購入伝票、商品受渡伝票等として使用するのに必要な所定の印字レイアウトで、所定の枚数が自動的に作成される。
【００３７】
各レシートの表面には印字された購入情報欄のほかに印字されない署名欄が設けられ、この署名欄が署名等の記入欄となっている。なお、この記入欄を明白にするために署名欄を囲む枠、アンダーライン、署名欄等の所定の文字から成る案内表示を商品情報印刷時に同時に印刷するようにしてもよい。
【００３８】
作成されたレシートを複数枚で構成された伝票として使用する場合、複数枚を重ね合わせて顧客に提示し、最上面のレシートの表面に設けられた署名欄に顧客の署名を受けることにより、感熱発色層６２を上方向に重ねられた各レシートの裏面に形成されているノーカーボン層６３のカーボンが対向する各レシートの表面に転着し、重ねられた下方のレシート全ての署名欄に署名を複写記入できることとなる。また、ノーカーボン層６３は長手方向に連続して形成されている為、長さの異なる複数枚のレシートであっても複写記入ができ、さらに別のノーカーボン用紙の下の用紙にも複写が可能である。
【００３９】
ここで、本発明の重ね書き可能なレシート発行装置及び販売管理装置によるレシート発行動作について説明する。
【００４０】
図５は、本発明に係るレシート例（お買上伝票）を示す。レシート３５ａ、３５ｂは、少なくともレシート３５を発行した店名等のレシート発行者名と、レシート発行日時と、購入金額と、とからなる購入情報欄２７と、裏面にノーカーボン層６３が設けられ重ね書き可能な署名欄３６とで構成されている。図５では商品がビデオで配達品である例を示している。
【００４１】
データ処理装置２はＰＯＳ端末装置１から入力された商品データ（商品がビデオで配達品である。）を受信すると、レシート印字様式ファイル８に記憶されている複数のレシート印字様式の内から受信した当該商品データに対応したレシート印字様式を選択する。図５において、レシート印字様式判断部９は、お買上明細票３５ａ、３５ｂのレシート印字を行うレシート印字様式を選択する。商品データには、レシート印字様式を判断するための商品コード（ビデオ）、現金販売、配達品、取扱会社コード等の印字様式を選択するキーコードが含まれている。
【００４２】
この時、送られたキーコード（商品コード、配達品コード等）に該当するレシート印字様式が、ＰＯＳ端末装置１又はレシート発行装置１４に記憶されている現在使用中のレシート印字様式と同じ場合がある。この場合、レシート発行装置１４は現在使用中のレシート印字様式を使用するようにして、データ処理装置２は送られた商品データに該当するレシート印字様式をＰＯＳ端末装置１に送信しない。
【００４３】
ＰＯＳ端末装置１のレシート発行装置１４が現在使用しているレシート印字様式と、送信された商品データで使用するレシート印字様式とが違う場合は、送られた商品データに基づいてレシート印字様式判断部９が選択したレシート印字様式及び関連する商品データをＰＯＳ端末装置１に送信する。
【００４４】
データ処理装置２から送信されたレシート印字様式と関連する商品データを受信したＰＯＳ端末装置１は、送信されたレシート印字様式に基づき商品名、数量、預かり金額、配達日等の明細データをバーコード読取装置１２及びキーボード入力装置１０等から入力しレシート印字データを作成する。ＰＯＳ端末装置１は作成したレシート印字データをレシート発行装置１４に送信する。
【００４５】
レシート発行装置１４は、ＰＯＳ端末装置１から送信されたレシート印字データをレシート印字様式及びプログラムに制御されて裏面にノーカーボン層６３が設けられたサーマルロール紙６０上の表面に感熱印字を行う。この時、レシート発行装置１４は、レシートの印字枚数、レシートの切断の長さを制御部１９に制御され、切断部２０により所定の長さに切断された所定の枚数のお買上伝票３５（レシート）を印字する。
【００４６】
レシート発行装置１４は、先ずお買上伝票３５ａをサーマルロール紙６０上に印字し、お買上伝票３５ａの印字が終了すると所定の長さに切断し排出する。続けて、お買上伝票３５ｂをサーマルロール紙６０上に印字し、お買上伝票３５ｂの印字が終了すると所定の長さに切断し排出する。
【００４７】
担当者は、発行されたお買上伝票３５ａとお買上伝票３５ｂとの少なくとも１辺を重ね合わせ、お名前欄３６ａ、３６ｂが同一の位置に重なるようにする。例えば、図６の例では、お買上伝票３５ａの辺３７ａとお買上伝票３５ｂの辺３７ｂとを重ね合わせ、さらに、お買上伝票３５ａの辺３８ａとお買上伝票３５ｂの辺３８ｂとを重ね合わせることによりお名前欄３６ａ、３６ｂが同一の位置に重なる。
【００４８】
この状態で筆記用具、例えばボールペン等でお買上伝票３５ａのお名前欄３６ａに顧客の署名を記入してもらう。顧客により書かれたお名前欄３６ａの署名は、お買上伝票の裏面に設けられたノーカーボン層６３によりお名前欄３６ｂに転着し複写される。
【００４９】
ここで、本発明のＰＯＳ端末装置のレシート発行装置により印字出力された重ね書き可能なレシート印字様式の例を示す。
【００５０】
図６は、第１のレシート印字様式の模式図を示す。この実施例は、同一長の複数枚のレシートで構成されるレシートセットＡの例である。
【００５１】
同一の長さの複数枚で成るレシートを連続して印字し、夫々のレシートの同一位置に署名欄３６が設けられている例である。図６の例においては、３枚の同一の長さを有するレシート３０、３１、３２で構成されたレシートセットＡ（例えば、お買上伝票、お客様控え、配達伝票のセット）の模式図例を示している。図６に示すように各レシート３０、３１、３２の長さは同一の長さであるので所定の少なくとも１辺を合わせて重ね合わせると全ての辺が揃っている。各レシートの同一位置に「ご署名欄３６ａ、３６ｂ、３６ｃ」が設けてあり重ね合わせるとその位置が一致する。
【００５２】
重ね合わせた最上面のレシート３０表面の「ご署名欄３６ａ」にボールペンなどにより署名すると、重ねられた各レシート３０、３１の裏面に形成されているノーカーボン層６３のカーボンが対向する各レシート３１、３２の表面に転着し、レシート３０に重ね合わされた下方のレシート３１、３２全ての「ご署名欄３６ｂ、３６ｃ」に署名を複写記入できることとなる。この図６の例におけるレシート印字様式は、３枚のレシート３０、３１、３２とも共通で１の印字様式で３枚のレシートを印字する。
【００５３】
図７は、第２のレシート印字様式の模式図例を示す。図７において、印字された長さの違うレシート５０、５１、５２は、レシート５０、５１、５２の２辺、すなわちレシート５０、５１、５２の１辺５５ａ、５５ｂ、５５ｃと、他の辺５６ａ、５６ｂ、５６ｃとを重ね合わせることにより長さの違うレシート５２のご署名欄３６ａの位置を他のレシート５０、５１の「ご署名欄３６ｂ、３６ｃ」と同一の位置に重ねることができるレシートセットＢの模式図を示す。
【００５４】
本発明のレシート発行装置１４では、商品データに対応してレシート印字様式ファイルに記憶されている複数のレシート印字様式の中から、使用するレシート印字様式を選択してレシート印字を行う。例えば、図７に示すレシート組では、レシート５０とレシート５１は同一サイズで内容も同じとする、レシート５２は印字内容の一部が異なり印字内容にしたがってレシートの長さも異なっている。
【００５５】
この場合は、レシート５０とレシート５１を印字するレシート印字様式と、レシート５１を印字するレシート印字様式の２種類のレシート印字様式が選択され、選択された２種類のレシート印字様式とレシート発行プログラムを使用してレシート印字データを作成する。これにより、レシート発行装置１４は、１取引で長さの異なる（印字様式の異なる）複数枚のレシート構成で成るレシートを連続して印字することが可能となる。
【００５６】
本発明のレシート発行装置は、複数枚構成のレシートの少なくとも１辺を合わせることによって、最上位にあるレシートの署名欄３６ａの位置と各レシートの署名欄３６ｂ、３６ｃの位置が同一の位置になるように印字を制御することができる。
【００５７】
図７においてレシート５０、５１、５２には、３枚の各レシートともレシートのＦ側の端から（プリント開始行方向）所定の同一距離の位置に「ご署名欄３６ａ３６ｂ、３６ｃ」が設けられている。
【００５８】
この図７の例におけるレシート印字様式は、レシート５０、５１の２枚のレシートは共通のレシート印字様式であり、レシート５２はレシート５２を印字するレシート印字様式を使用する。このレシートセットを印字する場合は、レシート発行装置１４は２のレシート印字様式を使用して印字するように制御される。
【００５９】
印字されたレシート５０、５１、５２の辺５５ａ、５５ｂ、５５ｃと、辺５６ａ、５６ｂ、５６ｃとを重ね合わせることにより長さの違うレシート５２の「ご署名欄３６ａ」の位置を他のレシート５０、５１の「ご署名欄３６ｂ、３６ｃ」と同一の位置に重ね合わせることができる。
【００６０】
重ね合わせたレシートの最上面のレシート５０表面に設けられた「ご署名欄３６ａ」にボールペンなどにより署名すると、重ねられた各レシート５０、５１の裏面に形成されているノーカーボン層６３のカーボンが、対向する各レシート５１、５２の表面に転着し、レシート５０に重ね合わされた下方のレシート５１、５２全ての「ご署名欄３６ｂ、３６ｃ」に署名を複写記入できることとなる。
【００６１】
図８は、第３のレシート印字様式の模式図を示す。この実施例は、各々長さの異なる複数枚のレシートで構成されるレシートセットＣの模式図例を示す。
【００６２】
図８において、印字された長さの違うレシート４０、４１、４２は、レシート４０、４１、４２の夫々に印字された「印４５」を重ね合わせることにより長さの違う各レシート４０、４１、４２の「ご署名欄３６ａ、３６ｂ、３６ｃ」の位置を同一の位置に重ね合わせることができるように構成されている。
【００６３】
図８に示すように、各レシート４０、４１、４２の長さは異なる長さである。このようなレシートの構成の場合、レシートごとに印字内容が異なり又「ご署名欄３６ａ、３６ｂ、３６ｃ」の位置が異なっているので、各レシートの２辺を重ねたとしても「ご署名欄３６ａ、３６ｂ、３６ｃ」は同一の位置で重ね合わされない。
【００６４】
このため、レシートセットＣにおけるレシート印字では、レシートの長さ方向で「ご署名欄３６ａ」の位置から所定の長さ（間隔）の位置に位置合わせのための「印４５」を印字する。この「印４５」と「ご署名欄３６ｂ、３６ｃ」との間隔は各レシートの印字において同一の間隔に制御されて印字されている。
【００６５】
「印４５」の位置は「ご署名欄」より長手方向で印字開始行方向（図に示すＦ側）にあってもよく、印字終了行方向（図に示すＲ側）であってもよい。
【００６６】
位置合わせのための「印４５」の印字は、予めレシート印字様式において「ご署名欄３６」と「印４５」の印字位置を規定し、レシート印字様式に従ってレシート印字部１８を制御して印字する。
【００６７】
または、１枚目のレシート４０の「印４５」の印字位置の行数をカウントしてカウント行数を記憶部に記憶しておき、２枚目にレシートの印字は記憶したカウント行数によって「印４５」を印字するように制御する。
【００６８】
または、「ご署名欄３６ｃ、３６ｂ、３６ｃ」印字位置から所定の行数後の位置を「印４５」を印字する位置とする方法であってもよい。
【００６９】
位置合わせのための「印４５」を印字した各レシートは、重ね合わせる各レシートに印字された「印４５」を合わせることによって、最上位のレシートの「ご署名欄３６ａ」位置と他の各レシート上の「ご署名欄３６ｂ、３６ｃ」の位置が同一の位置になる。
【００７０】
重ねたレシートセットＣの最上位のレシート４０に設けられた「ご署名欄３６ａ」にボールペンなどにより署名（署名）すると、重ねられた各レシート４０、４１の裏面に形成されているノーカーボン層６３のカーボンが対向する各レシート４１、４２の表面に転着し、レシート４０に重ね合わされた下方のレシート４１、４２全ての「ご署名欄３６ｂ、３６ｃ」に署名を複写記入できることとなる。この図の例に示すレシート印字様式は、３枚のレシート４０、４１、４２は各々印字内容が異なり３種類のレシート印字様式及びレシート印字を実行するレシート発行プログラムを使用して３枚のレシートを印字する。
【００７１】
さらに、複数枚で１組を構成するレシートセットにおいて、指定されたレシートにのみ署名欄３６を印字するように制御することが可能である。この場合は、「ご署名欄３６」を有するレシート印字様式と、「ご署名欄３６」を有しないレシート印字様式を使用し、これらのシート印字様式をレシート発行プログラムにより制御してレシート印字をおこなう。
【００７２】
同様に、レシートの「ご署名欄３６」の位置は、所定の条件（例えば、カード会社毎）によってレシート印字様式を設定してレシート印字様式ファイル８に記憶してあり、所定の条件にしたがって該当するレシート印字様式を選択して使用するので「ご署名欄３６」の印字位置が異なるレシートを容易に印字することが可能である。
【００７３】
上記に説明したように、本発明のレシート発行装置は、商品情報を受信する受信部と、前記商品情報に対応する複数のレシート印字様式を記憶するレシート印字様式記憶部と、前記商品情報に基づいて前記レシート印字様式を選択するレシート印字様式判断部と、前記レシート印字様式に基づいて重ね書き可能な署名欄を有する印字データを作成する印字データ作成部と、前記印字データを重ね書き可能なレシート用紙に印字する印字部と、前記選択した前記レシート印字様式に基づいてレシート発行を制御する制御部と、前記レシート用紙を所定の長さに切断する切断部と、を有することを特徴とする。
【００７４】
商品情報に基づいて選択されたレシート印字様式で印字したレシートが容易に発行可能となり、重ね合わせた最上位のレシートに署名したとき、下位に重ねられたレシートに署名を複写することが可能となった。これにより、署名の照合が容易となり、顧客サービスと店舗の署名確認作業の効率が向上する。
【図面の簡単な説明】
【００７５】
【図１】本発明に係る販売管理装置の構成例を示すブロック図である。
【図２】本発明に係るＰＯＳ端末装置の構成例を示すブロック図である。
【図３】レシート発行装置にレシート印字様式ファイルとレシート印字様式判断部を設けた構成例のブロック図を示す。
【図４】本発明に係るレシート発行に使用するサーマルロール紙例を示す。
【図５】本発明に係るレシート例（お買上伝票）を示す。
【図６】本発明に係る、第１のレシート印字様式の模式図を示す。
【図７】本発明に係る、第２のレシート印字様式の模式図を示す。
【図８】本発明に係る、第３のレシート印字様式の模式図を示す。
【符号の説明】
【００７６】
１  ＰＯＳ端末装置
２  データ処理装置
４  ＰＬＵファイル
８  レシート印字様式ファイル
９  レシート印字様式判断部
１４  レシート発行装置
１８  印字部
１９  制御部
２０  切断部
２４  外部記憶装置
２５ａ、２５ｂ、２５ｃ  レシート
４５  印
６０  サーマルロール紙
６１  紙基材
６２  感熱層
６３  ノーカーボン層
６４  感熱紙
【図１】
2005038242.tif 000003
【図２】
2005038242.tif 000004
【図３】
2005038242.tif 000005
【図４】
2005038242.tif 000006
【図５】
2005038242.tif 000007
【図６】
2005038242.tif 000008
【図７】
2005038242.tif 000009
【図８】
2005038242.tif 000010